(57)【要約】【課題】泥棒による家屋侵入を困難にする工夫と、泥棒に狙われ難くする工夫とが施された住宅建物の構造を体験する防犯住宅体験装置を提供する。【解決手段】住宅展示棟１０内に設けられ、住宅建物の屋内３と屋外２とを仕切る間仕切り壁１１が設けられ、間仕切り壁１１には面格子付サッシ１２、二重に鍵が付いたサッシ１３、センサーライト１４が設けられ、間仕切り壁１１の屋外２には、低い土台上に、透視できる塀本体２１が設けられて勝手口通路２２が形成され、勝手口通路２２には、玉砂利２３が設けられるとともに、レール２４が敷設され、レール２４上には、視線部分にモニターカメラ２５を有する泥棒を模した人形の模型２６が走行可能となされ、間仕切り壁１１の屋内３には、モニターカメラ２５の映像を映すモニター３１が設けられて模型２６の動きと連動した解説を行うようになされた防犯住宅体験装置１である。【選択図】  図１
2010139961.tif 000002
【特許請求の範囲】
【請求項１】
住宅展示棟内に設けられてなり、住宅建物の屋内と屋外とを仕切る間仕切り壁が設けられ、
この間仕切り壁には面格子付サッシ、二重に鍵が付いたサッシ、センサーライトが設けられ、
間仕切り壁の屋外には、その背後に人が隠れることが困難な高さとなされた低い土台上に、透視できるようになされた塀本体が設けられて勝手口通路が形成され、この勝手口通路には、玉砂利が設けられるとともに、レールが敷設され、このレール上には、視線部分にモニターカメラを有する泥棒を模した人形の模型が走行可能となされ、
間仕切り壁の屋内は、上記モニターカメラの映像を映すモニターが設けられ、模型の動きに連動した解説が行われるようになされたことを特徴とする防犯住宅体験装置。
【請求項２】
模型が面格子付サッシの位置で停止した際には、面格子サッシを外すことが困難な点を解説し、
模型の走行時には、玉砂利の上を人が歩く際の足音が流れるようになされ、
模型が塀の横を走行する際には、塀の外から見通されて身を隠すことができない点を解説し、
模型がサッシの位置で停止した際には、鍵が二重である点を解説し、
模型にセンサーライトが照射された際には、驚いて逃げ隠れできない点を解説するようになされた請求項１記載の防犯住宅体験装置。
【発明の詳細な説明】
【技術分野】
【０００１】
本発明は、泥棒による家屋侵入を困難にする工夫と、泥棒に狙われ難くする工夫とが施された住宅建物の構造を体験するための体験装置に関するものである。
【背景技術】
【０００２】
一般に、住宅建物においては、泥棒などが家屋内に侵入しないように、数々の防犯対策が施されている。これらの防犯対策は、住宅建物のカタログに紹介したり、展示住宅に訪れた購入予定者に、口頭で説明したりしていた。そして、この説明によって、防犯対策に優れた住宅建物とはどのようなものであるのかを理解してもらっていた。
【０００３】
しかし、防犯に関して専門知識の無い者がカタログのみで説明することは難しく、展示住宅に訪れた購入予定者に対しても充分に説明することができない。
【０００４】
そこで、従来より、このような防犯対策を容易に把握でき、その違いを理解することができるものとして、住宅建物の外観を模した屋外に泥棒を模した人形を動かし、この人形の動きにあわせて防犯構造を説明するようになされた防犯住宅解説装置が提案されている（例えば、特許文献１参照）。
【特許文献１】特開２００５−２４９９００号公報
【発明の開示】
【発明が解決しようとする課題】
【０００５】
しかし、上記従来の解説装置の場合、泥棒を模した人形の動きを離れた位置から客観的に見てしまうので、防犯構造を理解することはできるが、その効果がどの程度のものであるかを泥棒の立場で実感することができないといった不都合を生じる。
【０００６】
また、実際に居住しているのは屋内であるが、屋外から泥棒を模した人形の動きを見るように構成されているので、当事者的な目線から現実的にどの程度の防犯性があるのか体感することができないといった不都合を生じる。
【０００７】
本発明は係る実情に鑑みてなされたものであって、泥棒による家屋侵入を困難にする工夫と、泥棒に狙われ難くする工夫とが施された住宅建物の構造を体験することができる防犯住宅体験装置を提供することを目的としている。
【課題を解決するための手段】
【０００８】
上記課題を解決するための本発明の防犯住宅体験装置は、住宅展示棟内に設けられてなり、住宅建物の屋内と屋外とを仕切る間仕切り壁が設けられ、この間仕切り壁には面格子付サッシ、二重に鍵が付いたサッシ、センサーライトが設けられ、間仕切り壁の屋外には、その背後に人が隠れることが困難な高さとなされた低い土台上に、透視できるようになされた塀本体が設けられて勝手口通路が形成され、この勝手口通路には、玉砂利が設けられるとともに、レールが敷設され、このレール上には、視線部分にモニターカメラを有する泥棒を模した人形の模型が走行可能となされ、間仕切り壁の屋内は、上記モニターカメラの映像を映すモニターが設けられ、模型の動きに連動した解説が行われるようになされたものである。
【０００９】
また、上記防犯住宅体験装置において、模型が面格子付サッシの位置で停止した際には、面格子サッシを外すことが困難な点を解説し、模型の走行時には、玉砂利の上を人が歩く際の足音が流れるようになされ、模型が塀の横を走行する際には、塀の外から見通されて身を隠すことができない点を解説し、模型がサッシの位置で停止した際には、鍵が二重である点を解説し、模型にセンサーライトが照射された際には、驚いて逃げ隠れできない点を解説するようになされたものであってもよい。
【発明の効果】
【００１０】
以上述べたように、本発明によれば、泥棒による家屋侵入を困難にする工夫と、泥棒に狙われ難くする工夫とが施された住宅建物の構造を、実際に居住する室内から当事者的に体験することができる。
【発明を実施するための最良の形態】
【００１１】
以下、本発明の実施の形態を図面を参照して説明する。
【００１２】
図１および図２は防犯住宅体験装置１の全体構成の概略を示している。
【００１３】
すなわち、この防犯住宅体験装置１は、住宅展示棟１０内に設けられて一室を構成するようになされており、住宅建物の屋外２と屋内３とを仕切る間仕切り壁１１が設けられ、この間仕切り壁１１には、面格子付サッシ１２、掃出し窓１３、センサーライト１４が設けられ、間仕切り壁１１の屋外２には、塀２１が設けられて勝手口通路２２が形成され、この勝手口通路２２には玉砂利２３が設けられるとともに、レール２４が敷設され、このレール２４上には、視線部分にモニターカメラ２５を有する泥棒を模した模型２６が走行可能に設けられ、間仕切り壁１１の屋内３は、上記モニターカメラ２５の映像を映すモニター３１が設けられ、模型２６の動きに連動した解説が行われる。
【００１４】
間仕切り壁１１は、実際の住宅建物の屋外２と屋内３とを仕切る壁体と同じように形成されている。このうち、一面に設けられた間仕切り壁１１には、面格子付サッシ１２が設けられている。また、この間仕切り壁１１に隣接して直交する間仕切り壁１１には、掃出し窓１３、センサーライト１４が、それぞれ設けられている。
【００１５】
面格子付サッシ１２は、ドライバーや六角レンチなどの市販の工具では外せない特殊形状の取付ビスで取り付けられたものが用いられている。したがって、泥棒が面格子付サッシ１２の面格子を外して屋内３に侵入する場合、この面格子を外すことができないため、屋内３への侵入は困難となる。このように侵入困難な趣旨の泥棒のつぶやきは、屋内３のスピーカ（図示省略）から放送される。
【００１６】
掃き出し窓１３は、屋内３側から二つの鍵を施錠することができるようになされ、しかも防犯合わせガラスによって形成されている。泥棒が掃き出し窓１３から屋内３に侵入する場合、鍵の付近で窓ガラスを割り、この割れた部分から内部の鍵を開錠することによって行われるが、この鍵が二つもあり、しかも防犯合わせガラスで割り難くなっていることから、屋内３への侵入は困難となる。このように侵入困難な趣旨の泥棒のつぶやきは、模型２６が掃き出し窓１３の位置に近づいた際に放送される。
【００１７】
センサーライト１４は、掃出し窓１３の近傍に設けられ、この掃出し窓１３に人が近づくと、点滅して人の気配があることを視覚的に強調するようになされている。したがって、泥棒が掃き出し窓１３から屋内３に侵入する場合、センサーライト１４の点滅で人目に付くので身を潜めて作業することができなくなる。このような趣旨の泥棒のつぶやきは、模型２６がセンサーライト１４に近づいてセンラーライト１４が点滅した際に放送される。
【００１８】
屋外２は、間仕切り壁１１に沿って塀２１が設けられ、この塀２１と間仕切り壁１１との間に勝手口通路２２を形成するようになされている。この塀２１は、その背後に人が隠れることが困難な高さとなされた低い土台２１ａ上に、塀本体２１ｂを設けて構成されている。塀本体２１ｂは、塀２１の外側から勝手口通路２２を容易に透視することができるように、充分に隙間のあるフレームで組み立てられたものが使用されている。したがって、泥棒が身を潜めて勝手口通路２２を通過しようとしても、近隣や道路側から容易に透視することができるので、直ぐに人目についてしまう。このように勝手口通路２２で身を潜めることができない趣旨の泥棒のつぶやきは、模型２６が勝手口通路２２の塀２１の前を通過する際に放送される。
【００１９】
この勝手口通路２２には、玉砂利２３が設けられ、この玉砂利２３の上を人が歩いた際に、玉砂利２３による足音が発生して気配を感じることができるようになされている。したがって、泥棒が身を潜めて勝手口通路２２を通過しようとしても、屋内３や近隣の人に足音を聞かれて気付かれ易くなってしまう。このように勝手口通路２２から身を潜めて侵入することができない趣旨の泥棒のつぶやきは、模型２６が勝手口通路２２の玉砂利２３の上を通過する際に放送される。
【００２０】
なお、上記の各放送内容は、あらかじめ録音されたものが、屋内３のスピーカー（図示省略）を介して放送される。放送のタイミングは、この装置全体の制御装置（図示省略）で行うものであってもよいし、模型２６の位置をセンサー（図示省略）で検出し、それに反応して行うものであってもよい。
【００２１】
また、この勝手口通路２２には、間仕切り壁１１に沿って直線状にレール２４が設けられている。このレール２４は、間仕切り壁１１の掃出し窓１３の前方を通過するように設けられている。
【００２２】
このレール２４上には、視線部分にモニターカメラ２５を有する泥棒を模した模型２６が走行可能に設けられる。この模型２６は、モーターやエアシリンダー（図示省略）などで駆動する模型本体の表面を泥棒を模した人形の着ぐるみで被覆して構成されており、泥棒が勝手口通路２２を用心深く歩いている様子を表現しながら動くようになされている。この模型２６は、掃出し窓１３が設けられた間仕切り壁１１の一端側、すなわち、勝手口通路２２に設けられたレール２４の一端側にスタンバイするようになされており、スイッチ（図示省略）を入れて作動させると、掃出し窓１３の前へとレール２４上を一端側から他端側へと進行するようになされている。そして、他端側で模型２６は、センサーライト１４に照射されて慌てふためいて動くようになされている。この間の様子は、模型２６の視線部分に設けられたモニターカメラ２５によって、泥棒目線で撮影される。
【００２３】
また、この勝手口通路２２のさらに屋外側の住宅展示棟１０の壁面１０ａの内側には、屋内３から窓越しに見た際に、屋外の風景を構成するように、屋外風景の合成写真が設けられている。
【００２４】
屋内３には、上記した屋外２の模型２６に取り付けられたモニターカメラ２５の映像を映すモニター３１が設けられている。このモニター３１は、間仕切り壁１１の掃出し窓１３の近傍に設けられており、この掃出し窓１３を介して屋外２の様子を見ながらモニター３１を見ることができるようになされている。
【００２５】
なお、面格子付サッシ１２が設けられた間仕切り壁１１に沿った勝手口通路２２については、レール２４を設けておらず、模型２６が走行するように構成していないので、あらかじめ泥棒目線で撮影しておいた映像が、モニターカメラ２５の映像の代わりとして使用される。
【００２６】
次に、このようにして構成される防犯住宅解説装置１の使用方法について説明する。
【００２７】
まず、住宅展示棟１０の案内員は、見学に訪れた住宅建物の購入予定者を、屋内３に案内する。案内後、スイッチ（図示省略）を押すと、屋内３では、これから始まる防犯防止体験が、モニター３１の映像と屋内３に流れる音声とによって説明され、屋外２では、自動的に照明が落ちて少し暗くなる。
【００２８】
先ず最初に、あらかじめ撮影しておいた、面格子付サッシ１２が設けられた間仕切り壁１１に沿った勝手口通路２２を通過する映像が流され、玉砂利２３による足音と、この足音によって勝手口通路２２から身を潜めて侵入することができない趣旨の泥棒のつぶやきが放送される。
【００２９】
次に、モニター３１の映像が面格子付サッシ１２の位置に近づくと、面格子付サッシ１２が、特殊形状の取付ビスで取り付けられており、ドライバーや六角レンチなどの市販の工具では外せない趣旨の泥棒のつぶやきが放送される。その間、泥棒目線の映像は、モニター３１に映される。
【００３０】
面格子付サッシ１２をあきらめて、勝手口通路２２の先を曲がると、あらかじめ撮影しておいた映像から、模型２６のモニターカメラ２５の映像に切り替えられ、掃出し窓１３が設けられた側の間仕切り壁１１に沿って勝手口通路２２を模型２６が移動し始める。ここでは、勝手口通路２２を通過する泥棒目線の映像がモニター３１に映され、玉砂利２３による足音と、この足音によって勝手口通路２２から身を潜めて侵入することができない趣旨の泥棒のつぶやきが放送される。また、勝手口通路２２横の塀２１は、外側から勝手口通路２２を容易に透視することができるように、充分に隙間のあるフレームで組み立てられているため、直ぐに人目についてしまい身を潜めることができない趣旨の泥棒のつぶやきが放送される。
【００３１】
ついで、掃出し窓１３では、二重に鍵が設けられているため、簡単に開けることができない趣旨の泥棒のつぶやきが放送される。そして、さらに掃出し窓１３に近づいたところでセンサーライト１４が点滅し、驚くと同時に、人目に付いて作業ができないため退散する趣旨の泥棒のつぶやきが放送される。この間の様子は、全て泥棒目線の映像がモニター３１に映され、このモニター３１の映像、または掃出し窓１３越しに見える模型２６の様子を見ながら屋内３の放送を聞いて確認できるようになされている。
【００３２】
その後、屋内３では、モニター１の映像が切り替わり、一連の防犯設備を総括する放送が行われる。屋外２では、模型２６がレール２４の一端側へと戻る。
【００３３】
この防犯住宅体験装置１によると、屋内３のモニター３１に映される映像と、その際の泥棒自身のつぶやきから、泥棒目線で防犯対策を体験することができる。しかも、実際に泥棒に狙われている状況下で屋内３から体験するため、住宅に居住する当事者的に体験することができ、より現実的で強い印象を与えることができる。
【００３４】
なお、本実施の形態において、防犯住宅体験装置１は、勝手口通路２２がＬ字状に設けられ、二面の間仕切り壁１１に、面格子付サッシ１２と掃出し窓１３とがそれぞれ設けられているが、一面の間仕切り壁１１にこれら全てを設けるようにして勝手口通路２２を直線状にしたものであってもよい。
【００３５】
また、本実施の形態において、防犯住宅体験装置１は、泥棒による家屋侵入を困難にする工夫および泥棒に狙われ難くする工夫として、特殊工具でしか外すことができない面格子付きサッシ１２、二つの鍵を有する掃き出し窓１３、センサーライト１４、視認性の高い塀２１、玉砂利２３の音が挙げられているが、これらのうち少なくとも一つ以上を有するようになされた防犯住宅体験装置１であってもよい。
【００３６】
さらに、本実施の形態において、モニター３１の映像は、あらかじめ撮影しておいた映像とモニターカメラ２５の映像とを併用するようになされているが、レール２４を面格子付サッシ１２の前も通過するＬ字状に配置して全てモニターカメラ２５の映像とするものであってもよいし、レール２４や模型２６を設けず、全ての映像をあらかじめ撮影しておいた映像としてもよい。
【産業上の利用可能性】
【００３７】
住宅建物の販売促進を図る装置として利用できる。
【図面の簡単な説明】
【００３８】
【図１】本発明に係る防犯住宅解説装置の全体構成の概略を示す斜視図である。
【図２】本発明に係る防犯住宅解説装置の全体構成の概略を示す平面図である。
【符号の説明】
【００３９】
１防犯住宅解説装置
１０住宅展示棟
１１間仕切り壁
１２面格子付サッシ
１３  掃出し窓
１４  センサーライト
２  屋外
２１  塀
２１ａ  土台
２１ｂ  塀本体
２２  勝手口通路
２３  玉砂利
２４  レール
２５  モニターカメラ
２６  模型
３  屋内
３１  モニター
【図１】
2010139961.tif 000003
【図２】
2010139961.tif 000004